(57)【特許請求の範囲】
【請求項１】
本体と、該本体から突出している針と、からなるアイ通しにおいて、
前記本体には、前記本体の端面を含むように切り欠きが設けられており、
前記針は、前記切り欠き内から突出し、前記針の先端は前記切り欠き内を向いているものであることを特徴とするアイ通し。
【請求項２】
前記針は９０度に曲げられているものであることを特徴とする請求項１に記載のアイ通し。
【発明の詳細な説明】
【０００１】
【発明の属する技術分野】
本発明は、フライに隣接して設けられているアイ（環）に針を通すアイ通しに関する。
【０００２】
【従来の技術】
図３は従来のアイ通し１０の斜視図である。
【０００３】
アイ通し１０は、弾性を有する２枚の金属板１２ａ、１２ｂからなる本体１２を備えている。
【０００４】
本体１２の左側半分１４においては、２枚の金属板１２ａ、１２ｂは曲面状に形成され、かつ、それらの先端は相互に隔置されている。２枚の金属板１２ａ、１２ｂの先端は研磨されており、刃を形成している。２枚の金属板１２ａ、１２ｂは弾性を有しているため、本体の左側半分１４は釣り糸を切断するためのカッターとして機能し得る。
【０００５】
一方、本体１２の右側半分１６においては、２枚の金属板１２ａ、１２ｂは相互に張り合わせられており、アイ通し１０の端面１８から本体１２の左側半分１４に向かって延びる円弧状の切り欠き２０が形成されている。この切り欠き２０の中には針２２が取り付けられている。この針２２にフライのアイ（環）を突き通すことにより、アイ通しとしての機能を発揮することができるようになっている。
【０００６】
【発明が解決しようとする課題】
しかしながら、図３に示した従来のアイ通し１０には安全性に関して次のような欠点があった。すなわち、針２２が外側を向いて取り付けられているため、フライのアイに針２２を突き通す際に、誤って操作者が指を針２２に刺してしまうことが多々起こっていた。
【０００７】
本発明は、このような従来のアイ通しの問題点に鑑みてなされたものであり、針をフライのアイに突き通す際に、誤って針に指を突き刺す危険性がないアイ通しを提供することを目的とする。
【０００８】
【課題を解決するための手段】
この目的を達成するため、本発明のうち、請求項１は、本体と、該本体から突出している針と、からなるアイ通しにおいて、前記本体には、前記本体の端面を含むように切り欠きが設けられており、前記針は、前記切り欠き内から突出し、前記針の先端は前記切り欠き内を向いているものであることを特徴とするアイ通しを提供する。
本請求項に係るアイ通しにおいては、針の先端が切り欠き内を向くようにして針が本体に取り付けられている。すなわち、従来のアイ通しのように、針の先端は外側を向いていない。このため、操作者が誤って指を針に突き刺すことを防止することができる。
【０００９】
また、本請求項に係るアイ通しによれば、針は、本体に囲まれることなく、すなわち、針の全体が露出された形で、本体に取り付けられている。このため、フライのアイに針を突き通すときに指で本体をつかむ際にも、操作者の視線が指で妨げられることがなく、針の全体を見通すことができるため、容易にフライのアイに針を突き通すことができる。
【００１０】
請求項２に記載されているように、例えば、針は９０度に曲げられていることが好ましい。
【００１１】
針を曲げる角度は任意であるが、針にフライのアイを突き通すためには、９０度の角度が最も適している。
【００１４】
【発明の実施の形態】
図１は、本発明の第１の実施形態に係るアイ通しを示す斜視図である。
【００１５】
本実施形態に係るアイ通し３０は、弾性を有する２枚の長方形状の金属板３２ａ、３２ｂからなる本体３２を備えている。
【００１６】
本体３２の長手方向の左側半分３４においては、２枚の金属板３２ａ、３２ｂは曲面状に形成され、かつ、それらの先端は相互に隔置されている。２枚の金属板３２ａ、３２ｂの先端は研磨されており、刃を形成している。２枚の金属板３２ａ、３２ｂは弾性を有しているため、本体３２の左側半分３４は釣り糸を切断するためのカッターとして機能し得る。
【００１７】
一方、本体３２の長手方向の右側半分３６においては、２枚の金属板３２ａ、３２ｂは相互に張り合わせられており、本体３２の右側半分３６における一つの角部を含むように、矩形状の切り欠き３８が形成されている。
【００１８】
この切り欠き３８の内部において、針４０が本体１２に取り付けられている。この針４０にフライのアイ４２を突き通すことにより、アイ通しとしての機能を発揮することができるようになっている。
【００１９】
針４０は本体３２の長手方向に延びる第１部分４０ａと、第１部分４０ａから９０度の角度をなして鉛直下方に延びる第２部分４０ｂとからなる。第１部分４０ａの長さは、本体３２の長手方向における切り欠き３８の長さよりも短く設定されている。このため、針４０の先端、すなわち、第２部分４０ｂの先端は切り欠き３８の内部を向いている。さらに、針４０が本体３２から外側に突出することはない。
【００２０】
このように、本実施形態に係るアイ通し３０によれば、針４０の先端は切り欠き３８の内部を向いており、また、針４０は本体３２よりも外側に突出している部分を有していないため、操作者がフライのアイ４２に針４０を通すときに、誤って針４０を指に突き刺すことを防止することができる。
【００２１】
さらに、本実施形態に係るアイ通し３０は次のような効果をも奏する。
【００２２】
図３に示した従来のアイ通し１０においては、フライのアイに針２２を突き通す際には、本体１２の対向する側面１２ｃ、１２ｄが操作者の指でつかまれ、本体１２が支えられる。この場合、指の位置によっては、操作者の指で視界が遮られ、フライのアイと針２２との間の位置関係を把握しにくい場合があり、針２２の突き通しに少なからず時間を要してしまうことがあった。
【００２３】
これに対して、図１に示した本実施形態に係るアイ通し３０によれば、針４０は、本体３２に囲まれることなく、すなわち、針４０の全体が露出された形で、本体３２に取り付けられている。このため、フライのアイ４２に針４０を突き通すときに指で本体３２をつかむ際にも、針４０の全体を見通すことができるため、容易にフライのアイ４２に針４０を突き通すことができる。
【００２４】
また、切り欠き３８の下方において本体３２を指で支持することによって、針４０をフライのアイ４２に突き通すときの本体３２のブレを防止することも可能である。
【００２５】
図２は、本発明の第２の実施形態に係るアイ通し５０を示す斜視図である。
【００２６】
本実施形態に係るアイ通し５０は、切り欠き及び針の形状において、上記の第１の実施形態に係るアイ通し３０と異なっており、他の形状は同一である。従って、以下、本実施形態に係るアイ通し５０の切り欠き及び針の形状についてのみ説明する。
【００２７】
本実施形態に係るアイ通し５０の切り欠き５２は、本体３２の端面３２ａから本体３２の左側半分３４の方向に延びる矩形状の切り欠きである。
【００２８】
針５４は、切り欠き５２の上側の内面５２ａから下方に延びるように取り付けられている。すなわち、本実施形態に係るアイ通し５０においても、上記の第１の実施形態における針４０と同様に、針５４の先端は切り欠き５２の内部を向いている。
【００２９】
このように、本実施形態に係るアイ通し５０によれば、針５４の先端は切り欠き５２の内部を向いており、また、針５４は本体３２よりも外側に突出している部分を有していないため、操作者がフライのアイ４２に針５４を通すときに、誤って針５４を指に突き刺すことを防止することができる。
【００３０】
【発明の効果】
以上のように、請求項１乃至３に係るアイ通しによれば、針の先端は切り欠きの内部を向いており、また、針は本体よりも外側に突出している部分を有していないため、操作者がフライのアイに針を通すときに、誤って針を指に突き刺すことを防止することができる。
【００３１】
さらに、請求項１に係るアイ通しによれば、針は、本体に囲まれることなく、すなわち、針の全体が露出された形で、本体に取り付けられている。このため、フライのアイに針を突き通すときに指で本体をつかむ際にも、針の全体を見通すことができるため、容易にフライのアイに針を突き通すことができる。
【図面の簡単な説明】
【図１】本発明の第１の実施形態に係るアイ通しの斜視図である。
【図２】本発明の第２の実施形態に係るアイ通しの斜視図である。
【図３】従来のアイ通しの斜視図である。
【符号の説明】
１０  従来のアイ通し
１２  本体
１４  本体の左側半分
１６  本体の右側半分
２０  切り欠き
２２  針
３０  第１の実施形態に係るアイ通し
３２  本体
３４  本体の左側半分
３６  本体の右側半分
３８  切り欠き
４０  針
４２  アイ
５０  第２の実施形態に係るアイ通し
５２  切り欠き
５４  針
【図１】
0003542730.tif 000002
【図２】
0003542730.tif 000003
【図３】
0003542730.tif 000004